(57)【要約】【課題】受信したデータ放送の文字を綺麗に印刷する。【解決手段】放送データ解析手段１２は、受信したｂｍｌ文書を解析し、ＤＯＭオブジェクト及びＣＳＳ特性として内部に保持する。表示用描画手段１３は、ＤＯＭオブジェクト及びＣＳＳ特性に基づいて表示用レイアウトオブジェクトを生成する。生成された表示用レイアウトオブジェクトはモニタ１４に印加され、表示される。印刷描画手段１５は、印刷用レイアウトオブジェクトを生成する。印刷用レイアウトオブジェクトは、現在、表示中であるｂｍｌ文書のＤＯＭオブジェクト及びＣＳＳ特性に基づきつつ、フォント切り替え機能を実行して、レイアウトオブジェクトを生成する。印刷用レイアウトオブジェクトは、印刷指示に従い、プリンタ１６により実際に印刷される。【選択図】  図１
2004229159.tif 000002
【特許請求の範囲】
【請求項１】
放送データを受信するデータ受信装置と、
放送データの読み込みと解析を行ってＤＯＭオブジェクト及びＣＳＳ特性を生成する放送データ解析手段と、
ＤＯＭオブジェクト及びＣＳＳ特性を基に表示用レイアウトオブジェクトを生成する表示用描画手段と、
画面表示を行うためのモニタと、
ＤＯＭオブジェクト及びＣＳＳ特性を基に印刷用レイアウトオブジェクトを生成する際に表示可能な要素において指定されているフォントとは異なるフォントに切り替える機能を有する印刷用描画手段と、
フォント切り替えを行う際に使用する印刷用フォントと、
印刷を行うためのプリンタと、
データ放送の視聴や印刷を行うためのリモコンと、
リモコンに応じて表示データの動作制御を行う動作制御手段と、
印刷支援画面を表示してリモコンによる印刷制御を行わせるためのユーザインターフェース
とを備えることを特徴とするデータ放送受信機。
【発明の詳細な説明】
【０００１】
【発明の属する技術分野】
本発明は、放送局により送信される放送データを受信して表示するデータ放送受信機に関し、特に、データ放送の表示画面の全部または一部を印刷可能なデータ放送受信機に関する。
【０００２】
【従来の技術】
２０００年１２月から始まったＢＳデジタル放送に対応したテレビ受像機及びチューナが商品化されているが、これらのデジタル放送受信機は、放送データを表示するためのものであり、放送データを印刷することへの考慮はなされていない。
【０００３】
しかし、放送データを印刷可能なデータ放送受信機は必要である。図２は、印刷機能を有するデータ放送受信機の概略構成ブロック図を示す。放送局１から送信されたデータ放送の放送データは、図示しないアンテナ等を経て受信され、読み込み可能な放送データへ復号されたのち、放送データ解析手段２に入力する。ここで放送データとは、電波産業会（ＡＲＩＢ）規定に基づいたｂｍｌ文書により記述されている。ｂｍｌは構造化文書の一つであり、ｘｈｔｍｌを放送用の限定及び拡張を加えて規定しなおしたものである。
【０００４】
放送データ解析手段２は、入力したｂｍｌ文書を解析し、解析結果としてＤＯＭオブジェクト及びＣＳＳ特性を生成し、これら少なくとも画面表示中は内部に保持する。ＤＯＭオブジェクトとは、ｂｍｌ文書の構造及び各要素の属性情報などを保持するものであり、ＣＳＳ特性とは、各要素のレイアウト情報（フォントの種類・配置・背景色など）を保持するものである。
【０００５】
表示用描画手段３は、放送データ解析手段２からＤＯＭオブジェクト及びＣＳＳ特性を読み出し、表示用のレイアウトオブジェクトを生成する。生成された表示用レイアウトオブジェクトは、ディスプレイなどのモニタ４上に表示される。
【０００６】
印刷用描画手段５は、放送データ解析手段２から読み出したＤＯＭオブジェクト及びＣＳＳ特性を使って、印刷用のレイアウトオブジェクトを生成する。生成された印刷用レイアウトオブジェクトは、プリンタ６に印加され、印刷される。
【０００７】
データ放送は、番組視聴者がリモコン９を使って情報を引き出すものであり、動作制御手段７が、番組視聴者はリモコン９を操作して、画面遷移、フォーカス移動及びスタイルシートの切り替えなどを指示できる。リモコン９の操作はユーザインターフェース８を介して動作制御手段７に伝達され、動作制御手段７が、番組視聴者の指示に従って受信機全体を制御する。
【０００８】
ユーザインターフェース８は、データ放送番組を印刷するときに使用するためのものであり、印刷支援画面の表示及びリモコン９による動作制御を行う。印刷用レイアウトオブジェクトが生成されるのは、リモコン９からの印刷依頼がなされた時である。実際の印刷が行われるのは、ユーザインターフェース８による印刷支援画面をリモコン９で操作して、印刷開始依頼がなされた時である。
【０００９】
デジタルテレビ放送では、従来、視聴者がリモコン等を用いてＩＲＤ（Ｉｎｔｅｇｒａｔｅｄ  Ｒｅｃｅｉｖｅｒ／Ｄｅｃｏｄｅｒ）を操作し、受信したいチャンネルを選択する。受信する放送データには、映像、音声、データ放送及びその他制御用データが含まれており、その中から指定したチャンネルのデータが分別され、復号される。
【００１０】
図５は、従来のｌＲＤの概略構成ブロック図を示す。２０１は、衛星、ＣＡＴＶ又は地上波等のデジタルテレビ放送信号を受信し、復調し、エラー訂正して、ＭＰＥＧ２トランスポートストリーム（以後、ＴＳと呼ぶ）を出力する放送受信手段である。２０２は、ＴＳをパケットＩＤ（ＰｌＤ）により、ビデオデータ、オーディオデータ及びデータのストリームに分別するデマルチプレクサである。２０３は、デマルチプレクサ２０２により分別されたＭＰＥＧビデオ信号を復号するＭＰＥＧビデオデコーダである。
【００１１】
２０４は、ＭＰＥＧビデオデコーダ２０３により復号された映像信号に、ＣＰＵ２０７により作られた表示データと、データ放送デコーダ２１０により作られた表示データとを元に描画した画像を合成し、表示器に合った信号フォーマットに変換する表示データ生成手段である。２０５は、デマルチプレクサ２０２により分別されたＭＰＥＧオーディオ信号を復号するＭＰＥＧオーディオデコーダである。２０６は、ＭＰＥＧオーディオデコーダ２０５により復号された音声信号をアナログ信号に変換するＤ／Ａ変換器である。２０７は、デマルチプレクサ２０２により分別されたデータ信号を解読し、表示すべき情報の場合には表示データ生成手段２０４に出力するＣＰＵである。ＣＰＵ２０７は他に、各手段を総合的に制御する。
【００１２】
２０８は、図示しないＣＰＵ、ＲＯＭ及びＲＡＭ等から構成されるＩＣカードの読取装置を含み、ｌＣカードに含まれている暗号解読キーと解読プログラムを用いてデマルチプレクサ２０２により暗号化ＴＳを分別させるコンディショナル・アクセス・モジュール（ＣＡＭ）である。
【００１３】
２０９は、図示しないリモコン等の操作によりチャンネル選択を行う選局手段である。２１０は、デマルチプレクサ２０２により分別されたデータ放送用データ信号を復号するデータ放送デコーダである。
【００１４】
使用者がデジタルテレビ放送を視聴するには、ＩＲＤを用いてＴＳを映像、音声及びその他のデータに復号しなければならない。衛星、ＣＡＴＶ又は地上波等のデジタルテレビ放送信号を放送受信手段２０１で受信し、復調及びエラー訂正等を行う。その出力信号をデマルチプレクサ２０２でＭＰＥＧビデオ信号、ＭＰＥＧオーディオ信号、データ放送用データ信号及びその他のデータ信号に分離する。暗号化されたＴＳの場合、ＣＡＭ２０８により提供される暗号解読キーと解読プログラムが必要となる。
【００１５】
ＭＰＥＧビデオデコーダ２０３は、ＭＰＥＧ方式で圧縮されているビデオ信号を復号し、表示データ生成手段２０４に供給する。表示データ生成手段２０４は、表示器にあった信号フォーマットに変換し、出力する。ＭＰＥＧオーディオデコーダ２０５は、ＭＰＥＧ方式で圧縮されているオーディオ信号を復号し、Ｄ／Ａ変換器２０６に供給する。Ｄ／Ａ変換器２０６は、デコーダ２０５の出力をＤ／Ａ変換し、左チャンネルと右チャンネルの音声信号を出力する。
【００１６】
データ放送デコーダ２１０は、受信したデータ放送用データを元にＢＭＬ（Ｂｒｏａｄｃａｓｔｉｎｇ  Ｍａｒｋｕｐ  Ｌａｎｇｕａｇｅ）文書を解釈し、表示データ生成手段２０４は、データ放送でコーダ２１０の解釈結果に応じた表示データを生成し、図示しない表示器に印加する。これにより、受信したデータ放送用データの内容が表示される。
【００１７】
また、視聴者が表示内容を印刷する場合、映像出力信号から画像を取り込み、取り込んだ画像の印刷を指示する。
【００１８】
【発明が解決しようとする課題】
上述のようなプリンタ機能付きデータ放送受信機では、印刷対象となったｂｍｌ文書を解析して得られたＤＯＭオブジェクト及びＣＳＳ特性を使って印刷用レイアウトオブジェクトを生成し、印刷している。ＡＲＩＢの規格によれば、表示可能であり文字も使用可能であるｐ要素、ａ要素及びｉｎｐｕｔ要素に対して指定しうるＣＳＳ特性のうち、フォント種類については、丸ゴシック、太丸ゴシック及び角ゴシックの３種類があるに過ぎない。これらの要素の文字を印刷した場合、表示用モニタ４の解像度よりも印刷用プリンタ６の解像度のほうが高いこともあり、プリンタ６の能力よりも劣った文字の印刷がなされることになり、印刷文字が汚いという問題があった。
【００１９】
デジタル放送受信装置でデータ放送を受信し、その内容を印刷する場合、従来例では、使用者の印刷命令を受けてから表示画面の内容をそのまま取り込み印刷データを作っているので、命令を行ってから印刷物が出力されるまでに時間がかかっていた。また、データ放送では、動画のコンテンツも含まれているが、画面表示をそのままを印刷したのでは、情報が不足してしまっていた。
【００２０】
本発明は、このような問題点を解決するデータ放送受信機を提示することを目的とする。
【００２１】
【課題を解決するための手段】
本発明に係るデータ放送受信機は、放送データを受信するデータ受信装置と、放送データの読み込みと解析を行ってＤＯＭオブジェクト及びＣＳＳ特性を生成する放送データ解析手段と、ＤＯＭオブジェクト及びＣＳＳ特性を基に表示用レイアウトオブジェクトを生成する表示用描画手段と、画面表示を行うためのモニタと、ＤＯＭオブジェクト及びＣＳＳ特性を基に印刷用レイアウトオブジェクトを生成する際に表示可能な要素において指定されているフォントとは異なるフォントに切り替える機能を有する印刷用描画手段と、フォント切り替えを行う際に使用する印刷用フォントと、印刷を行うためのプリンタと、データ放送の視聴や印刷を行うためのリモコンと、リモコンに応じて表示データの動作制御を行う動作制御手段と、印刷支援画面を表示してリモコンによる印刷制御を行わせるためのユーザインターフェースとを備えることを特徴とする。
【００２２】
【実施例】
以下、図面を参照にして、本発明の実施例を詳細に説明する。
【００２３】
（第１実施例）
図１は本発明の実施例のブロック図である。放送局１１から送信された放送データは、データ放送受信器の図示しないアンテナ等を用いて受信されて読み込み可能な放送データに復号されたのち、放送データ解析手段１２へ入力される。放送データ解析手段１２は、受信したｂｍｌ文書を解析し、ＤＯＭオブジェクト及びＣＳＳ特性として内部に保持する。表示用描画手段１３は、ＤＯＭオブジェクト及びＣＳＳ特性に基づいて表示用レイアウトオブジェクトを生成する。生成された表示用レイアウトオブジェクトはモニタ１４に印加され、表示される。
【００２４】
データ放送の番組視聴者がリモコン１９を使って引き出したｂｍｌ文書において、視聴者からリモコン１９を介して印刷依頼を受け取ると、印刷描画手段１５が印刷用レイアウトオブジェクトを生成する。印刷用レイアウトオブジェクトは、現在、表示中であるｂｍｌ文書のＤＯＭオブジェクト及びＣＳＳ特性に基づきつつ、フォント切り替え機能を実行して、レイアウトオブジェクトを生成する。フォント切り替え機能により、ＤＯＭオブジェクトに含まれる表示可能な要素のうち、ｐ要素、ａ要素及びｉｎｐｕｔ要素について文字情報が存在した場合は、ＣＳＳ特性により得られるフォント指定に関わらず、データ放送受信機に予め搭載してある印刷用フォント２０を用いて、印刷用レイアウトオブジェクトが生成される。
【００２５】
印刷用描画手段１５にて生成された印刷用レイアウトオブジェクトは、番組視聴者がユーザインターフェース１８による印刷支援画面において、リモコン１９を介して印刷開始を依頼することによって、プリンタ１６により実際に印刷される。
【００２６】
図３は、フォントを切り替え機能の処理フロー図を示す。動作制御手段１７は、番組視聴者からリモコン１９を介して印刷依頼を受けると、印刷用描画手段１５に印刷用レイアウトオブジェクトを生成させる。印刷用描画手段１５は、フォントを切り替えるために、ＤＯＭオブジェクトにアクセスをし（ステップＳ１）、現在、表示中のｂｍｌ文書に文字情報を持つｐ要素が含まれているかどうかを調べ（ステップＳ２）、含まれていれば、その文字情報のフォントを印刷用フォント２０へ切り替える（ステップＳ５）。ａ要素及びｉｎｐｕｔ要素についても同様に、文字情報が含まれているかどうかを調べ（ステップＳ３，Ｓ４）、含まれていれば、各文字情報を印刷用フォント２０へ切り替える（ステップＳ６，Ｓ７）。
【００２７】
ｐ要素、ａ要素及びｉｎｐｕｔ要素を漏らさず調べればいいのであり、その調査の順番は特に限定されない。
【００２８】
この実施例によれば、印刷時にフォントの切り替えを行うことにより、データ放送の任意の表示画面について、モニタ１４とプリンタ１６の解像度の差にかかわらず、キレイなフォントで印刷を行うことが可能となる。
【００２９】
（第２実施例）
ｂｍｌ文書情報であるＤＯＭオブジェクトが保持する表示可能な要素であるｐ要素、ａ要素及びｉｎｐｕｔ要素において、適用可能なＣＳＳ特性のうちのフォントに関しては、フォント種類（丸ゴシック・太丸ゴシック・角ゴシック）の他にフォントサイズ（ピクセル単位の整数値）と字体（ノーマル・ボールド）がある。フォント切り替えがなされた印刷用レイアウトオブジェクトを生成する際に、切り替え前後のフォントの整合性をとるために、切り替え前のフォントサイズ及び字体に対応したフォント切り替えを行うことが望ましい。
【００３０】
図４は、フォントサイズ及び字体に対応したフォント切り替えを第２実施例におけるフォント切り替え機能の処理フロー図を示す。動作制御手段１７は、番組視聴者からリモコン１９を介して印刷依頼を受けると、印刷用描画手段１５に印刷用レイアウトオブジェクトを生成させる。
【００３１】
フォントを切り替えるために、ＤＯＭオブジェクトにアクセスをして（ステップＳ１１）、現在、表示中のｂｍｌ文書に文字情報を持つｐ要素が含まれているかどうかを調べ（ステップＳ１２）、含まれている場合は、ＣＳＳ特性を参照して字体がノーマル指定かボールド指定かを調べる（ステップＳ１３）。フォントサイズは、フォントの種類が異なると、表示又は印刷されるフォントの大きさも異なる場合が多い。このような大きさの違いによるフォント変換時の不整合を回避するために、ボールド用変換表及びノーマル用変換表を予め用意しておく。変換前のフォントは丸ゴシック・太丸ゴシック・角ゴシックの３種類あるので、印刷用フォント２０とこれらのフォントとの変換表を使用して、印刷用に適用すべきフォントサイズを決定する。例えば、ＣＳＳ特性が、丸ゴシックのノーマルでフォントサイズが１０ｐｘに指定していた場合、ノーマル用変換表から印刷用フォント２０のフォントサイズが９ｐｘとなっていれば、印刷用フォント２０のうちの字体がノーマルでフォントサイズが９ｐｘであるフォントを変換後のフォントとして切り替える（ステップＳ１６）。
【００３２】
ａ要素及びｉｎｐｕｔ要素についても、同様に文字情報が含まれているかを調べ（ステップＳ１７，Ｓ２２）、含まれていれば、ノーマル指定／ボールド指定により（ステップＳ１８，Ｓ２３）、適用すべき変換表を決定し（ステップＳ１９，２０；Ｓ２４，２５）、最適なフォントサイズの印刷用フォント２０へ切り替える（ステップＳ２１，Ｓ２６）。
【００３３】
ｐ要素、ａ要素及びｉｎｐｕｔ要素を漏らさず調べればいいのであり、その調査の順番は特に限定されない。
【００３４】
第２実施例では、印刷時にフォントの切り替えをに際して、切り替え前のフォントの字体及びフォントサイズとの整合性のとれた印刷用フォントを選択するので、データ放送の任意の表示画面について、モニタとプリンタの解像度の差にかかわらず、キレイなフォントでの印刷を行うことが可能となり、更には、フォントの字体及び大きさに関しても表示時と変わらない状態で印刷を行うことが可能となる。
【００３５】
（第３実施例）
次に、本発明の第３実施例を説明する。図６は、第３実施例使用するデータ放送システムの概略構成図を示す。５１は放送を受信し受信結果を出力するＩＲＤ、５２はＩＲＤ５１で生成した印刷用データを基に印刷を行うプリンタ、５３はＩＲＤ５１から出力される番組の映像音声を出力するモニタ、５４は衛星及び地上波等のデジタルテレビ放送信号を受信し、ＩＲＤ５１に入力するアンテナ、５５はＩＲＤ５１とプリンタ５２を接続するプリンタケーブル、５６はＩＲＤ５１とモニタ５３を接続し、映像音声信号を伝送するＡＶケーブルである。
【００３６】
使用者は、デジタルテレビ放送を視聴し、視聴中のデータ放送を印刷できる。図示しない放送局から送信される放送信号はアンテナ５４を介してＩＲＤ５１に入力する。ＩＴＤ５１は受信号を復号し、映像音声信号としてＡＶケーブル５６を介してモニタ５３に出力する。また、ＩＲＤ５１はまた、データ放送を復号し、モニタ５３に出力する。
【００３７】
使用者が図示しないリモコン等を用いて印刷指示を出すと、ＩＲＤ５１で復号され印刷用に生成されたデータが、プリンタケーブル５５を通してプリンタ５２に出力される。
【００３８】
図７はＩＲＤ５１の概略構成ブロック図を示す。図５に示す従来例と同じ構成要素には同じ符号を付してある。
【００３９】
３０１は、デマルチプレクサ２０２で分別されたデータ放送用データをデータ放送デコーダ２１０で復号及び印刷用割付け処理した印刷用の画像データを印刷用データにして印刷データ記憶手段３０２に記憶し、ＣＰＵ２０７から印刷命令を受け次第、印刷データ記憶手段３０２の記憶内容をプリンタ２に送る印刷データ生成手段である。３０２は、印刷データ生成手段３０１で作られた印刷用データを常に記憶する印刷データ記憶手段である。
【００４０】
使用者がデータ放送を視聴し、その内容を印刷する際、ｌＲＤ５１に対して図示しないリモコン等を用いて印刷指示を出す。使用者からの印刷指示以前に、データ放送デコーダ２１０は、モニタ５２に表示するための画像データを生成するためにＢＭＬ文書の記述内容を基に表示レイアウトを決め、コンテンツを復号する。印刷用の印刷画像データも同様に、ＢＭＬ文書の記述を基に生成される。印刷データ生成手段３０１は、表示用画像データに対応した印刷用画像データから印刷用データを生成し、印刷データ記憶手段３０２に常時、記憶しておく。印刷用データの生成が完了したら、画像データをモニタ５２に表示する。
【００４１】
このように、印刷するための印刷用データをあらかじめ生成しておくことで、使用者は、視聴しているデータ放送をすぐに印刷することが可能となる。
【００４２】
（第４実施例）
画面表示内容と違うレイアウトで印刷を行ってもよい。使用者は、データ放送を印刷する際、ＩＲＤ５１に対して図示しないリモコン等を用いて印刷指示を出す。データ放送デコーダ２１０は、モニタ５２に表示すべき画像データを生成するためにＢＭＬ文書の記述内容を基に表示レイアウトを決め、コンテンツを復号する。印刷用の印刷画像データも同様に、ＢＭＬ文書の記述を基に生成され、表示用画像データに対応した印刷用画像データが印刷データ生成手段３０１に供給される。
【００４３】
レイアウトに動画がある場合、この動画の各シーンの画像を数枚用いてタイリングしてはめ込む。このタイリングの画像は、動画があった場所にレイアウトするが、表示用の画像の解像度は１００ｄｐｉ程度であるので、一般的にプリンタ５２の表現可能解像度よりも低い。従って、縮小してタイリングして印刷しても、プリンタ５２の表現可能解像度は十分である。
【００４４】
文字については、ＩＲＤ５１で持っているフォントは、文字の種類及び大きさ共に限られているので、モニタ５３より高い解像度を持つプリンタ５２に用いるには貧弱である。そこで、タイトル部及び内容部をフォントサイズによって判別し、それぞれのサイズに対応した印刷用のフォントに置き換える。この処理により得た印刷画像データを用いて、印刷データ生成手段３０１は、最新の印刷用データを生成し、印刷データ記憶手段３０２に逐次、記憶しておき、印刷指示と同時にプリンタ５２に印刷用データを送り、印刷を始める。
【００４５】
このようにすることで、使用者は、視聴しているデータ放送からより多くの情報を含んだ印刷物をすぐに得ることが可能となる。
【００４６】
図８は、表示用データの表示イメージを示し、図９は、図８に対応する印刷用データの印刷イメージである。４０１〜４０６は、データ放送で表示されているコンテンツである。４０７〜４１０は、印刷用のコンテンツである。
【００４７】
４０１は、動画であるので、印刷のためにはキャプチャ等の処理が必要となる。本実施例においては、４０７として、一定時間おきに画像を取り込み、その画像を縮小して３×３でタイリングする。古い画像はどんどん捨てていき、最新の９枚を印刷用に用いる。
【００４８】
４０２は、静止画のデータである。このデータは印刷にそのまま使えるので、印刷レイアウト上の同じ領域４０８は同じ静止画データを配置する。
【００４９】
４０３は、本データ放送のタイトルであると思われるもので、大きなフォントを用いている。本実施例では、印刷レイアウト上では、符号４０９で示すように、大きなフォントで置換する。これにより、綺麗に印刷できるようになる。
【００５０】
４０４は、小さなフォントの文字情報である。こちらも綺麗に印刷できるよう置き換えを行う。
【００５１】
４０５，４０６は、画面操作を行うための表示であるので、印刷用には省いている。
【００５２】
このように、画面表示内容より多くの情報を含み、より綺麗に印刷するために、ＢＭＬ文書から対応する印刷用画像を用意すると共にフォントを置換して、印刷用データを生成する。
【００５３】
このような構成により、視聴しているデータ放送の印刷を行う際、あらかじめ印刷に用いる印刷用データを用意しておくことで、視聴者の印刷の指示に対して素早い印刷を行うことが可能となる。また、画面表示内容に動画が存在する場合、一定時間毎に取りこんだ画像をタイリングする。モニタとプリンタの解像度の違いから画質を落とすことなく印刷物の情報量を増やすことが可能となる。
【００５４】
（他の実施態様）
以下、本発明の好ましい実施態様を列挙する。
【００５５】
【実施態様１】放送データを受信するデータ受信装置と、
放送データの読み込みと解析を行ってＤＯＭオブジェクト及びＣＳＳ特性を生成する放送データ解析手段と、
ＤＯＭオブジェクト及びＣＳＳ特性を基に表示用レイアウトオブジェクトを生成する表示用描画手段と、
画面表示を行うためのモニタと、
ＤＯＭオブジェクト及びＣＳＳ特性を基に印刷用レイアウトオブジェクトを生成する際に表示可能な要素において指定されているフォントとは異なるフォントに切り替える機能を有する印刷用描画手段と、
フォント切り替えを行う際に使用する印刷用フォントと、
印刷を行うためのプリンタと、
データ放送の視聴や印刷を行うためのリモコンと、
リモコンに応じて表示データの動作制御を行う動作制御手段と、
印刷支援画面を表示してリモコンによる印刷制御を行わせるためのユーザインターフェース
とを備えることを特徴とするデータ放送受信機。
【００５６】
【実施態様２】上記印刷用描画手段は、番組視聴者がリモコンを操作して現在表示中のデータ放送番組画面の全部もしくは一部を印刷するための印刷依頼に応じて、上記印刷用レイアウトオブジェクトを生成する実施態様１に記載のデータ放送受信機。
【００５７】
【実施態様３】上記印刷用描画手段がフォント切り替えを行う際に、切り替え前後のフォントの整合性をとるために、ＣＳＳ特性から切り替え前のフォントサイズ及び字体（標準もしくはボールド）を示す値を参照して、切り替え後のフォントサイズと字体を決定することを特徴とする実施態様１に記載の記載のデータ放送受信機。
【００５８】
【実施態様４】上記印刷用描画手段がフォント切り替えを行う際に、丸ゴシック及び太丸ゴシック及び角ゴシックと印刷用フォントとの間のフォントサイズの変換表を使ってフォントの切り替えを行うことを特徴とする実施態様１に記載のデータ放送受信機。
【００５９】
【実施態様５】デジタル放送を受信する放送受信手段と、
放送受信手段から得た受信データからデータ放送用データを分別する分別手段と、
受信中のデータ放送の内容を印刷するための印刷用画像データに復号するデータ放送復号手段と、
前記印刷用画像データから印刷データを生成する印刷データ生成手段と、
印刷データ生成手段により生成された印刷データを記憶する記憶手段
とを有し、前記印刷データ記憶手段は、画面表示内容に対応するように、常に最新の印刷データを記憶することを特徴とするデジタル放送受信機。
【００６０】
【実施態様６】前記印刷データ生成手段によって生成される印刷データは、対応する画面表示内容を表示する前に前記印刷データ記憶手段に記憶されることを特徴とする実施態様５に記載のデジタル放送受信機。
【００６１】
【実施態様７】デジタル放送を受信するための放送受信手段と、
放送受信手段から得た受信データからデータ放送用データを分別する分別手段と、
受信中のデータ放送の内容を印刷するための印刷用画像データに復号するデータ放送復号手段と、
前記印刷用画像データから印刷データを生成する印刷データ生成手段と、
印刷データ生成手段により生成された印刷データを記憶しておく記憶手段
とを有し、前記データ放送復号手段は、画面表示内容より詳細に印刷するために、画面表示されている画像とは別の画像を用いて、前記印刷用画像データを生成することを特徴とするデジタル放送受信装置。
【００６２】
【実施態様８】画面表示内容に動画を含んでいる場合、前記データ放送復号手段は、前記動画の所定時間毎の画像を複数枚用いて、前記印刷用画像データを生成することを特徴とする実施態様６に記載のデジタル放送受信装置。
【００６３】
【実施態様９】デジタル放送を受信するための放送受信手段と、
放送受信手段から得た受信データからデータ放送用データを分別するための分別手段と、
受信中のデータ放送の内容を印刷するための印刷用画像データに復号するデータ放送復号手段と、
前記印刷用画像データから印刷データを生成する印刷データ生成手段と、
印刷データ生成手段により生成された印刷データを記憶しておく記憶手段、
とおを有し、前記印刷データ記憶手段の印刷データは、画面表示内容に対応するように、常に最新の印刷データを記憶することを特徴とするデジタル放送受信装置。
【００６４】
【実施態様１０】前記印刷データ生成手段によって生成される印刷データは、対応する画面表示内容を表示する前に前記印刷データ記憶手段に記憶することを特徴とする実施態様９のデジタル放送受信装置。
【００６５】
【実施態様１１】デジタル放送を受信するための放送受信手段と、
放送受信手段から得た受信データからデータ放送用データを分別するための分別手段と、
受信中のデータ放送の内容を印刷するための印刷用画像データに復号するデータ放送復号手段と、
前記印刷用画像データから印刷データを生成する印刷データ生成手段と、
印刷データ生成手段により生成された印刷データを記憶しておく記憶手段、
を有し、前記データ放送復号手段によって復号される印刷用画像データは、画面表示内容より詳細に印刷するために、画面表示されている画像とは別の画像を用いることを特徴とするデジタル放送受信装置。
【００６６】
【実施態様１２】前記データ放送復号手段によって復号される印刷用画像データは、画面表示内容に動画を含んでいる場合、所定時間毎の画像を複数枚用いることを特徴とする実施態様１１のデジタル放送受信装置。
【００６７】
【発明の効果】
以上の説明から容易に理解できるように、本発明によれば、データ放送番組の表示画面の全部もしくは一部を印刷する際に、放送局側の指定である表示時のフォントを使わずに、データ放送受信機に搭載してある印刷用のフォントに切り替えて使うことにより、モニタとプリンタの解像度の差にかかわらず、キレイな印刷結果を得ることができるようになった。
【００６８】
更に、切り替え前後のフォントの字体及びフォントサイズについても考慮して、切り替え前の字体及びフォントサイズと切り替え後の字体及びフォントサイズとの対応を示す変換表を用いてフォントの切り替えを行うことにより、表示時と印刷時の差を少なくすることができる。
【図面の簡単な説明】
【図１】本発明の第１実施例の概略構成ブロック図である。
【図２】従来のデータ放送受信機の概略構成ブロック図である。
【図３】第１実施例におけるフォント切り替え機能の処理フロー図である。
【図４】第２実施例におけるフォント切り替え機能の処理フロー図である。
【図５】従来のｌＲＤの構成図である。
【図６】第３実施例を使用する受信システムの概略構成ブロック図である。
【図７】第３実施例の概略構成ブロック図である。
【図８】第４実施例でのデータ放送の表示レイアウト例である。
【図９】図８に対応する印刷レイアウト例である。
【符号の説明】
１：放送局
２：放送データ解析手段
３：表示用描画手段
４：モニタ
５：フォント切り替え機能つき印刷用描画手段
６：プリンタ
７：動作制御手段
８：ユーザインターフェース
９：リモコン
１０：印刷用フォント
１１：放送局
１２：放送データ解析手段
１３：表示用描画手段
１４：モニタ
１５：印刷用描画手段
１６：プリンタ
１７：動作制御手段
１８：ユーザインターフェース
１９：リモコン
２０：印刷用フォント
５１：ＩＲＤ
５２：プリンタ
５３：モニタ
５４：アンテナ
５５：プリンタケーブル
５６：ＡＶケーブル
２０１：放送受信手段
２０２：デマルチプレクサ
２０３：ＭＰＥＧビデオデコーダ
２０４：表示データ生成手段
２０５：ＭＰＥＧオーディオデコーダ
２０６：Ｄ／Ａ変換器
２０７：ＣＰＵ
２０８：コンディショナル・アクセス・モジュール（ＣＡＭ）
２０９：選局手段
２１０：データ放送デコーダ
３０１：印刷データ生成手段
３０２：印刷データ記憶手段
【図１】
2004229159.tif 000003
【図２】
2004229159.tif 000004
【図３】
2004229159.tif 000005
【図４】
2004229159.tif 000006
【図５】
2004229159.tif 000007
【図６】
2004229159.tif 000008
【図７】
2004229159.tif 000009
【図８】
2004229159.tif 000010
【図９】
2004229159.tif 000011